(57)【要約】【課題】対地絶縁抵抗に起因する漏洩電流Ｉｇｒのみを検出する漏洩電流検出装置及び方法を提供すること。【解決手段】電気方式が三相（Ｒ相、Ｓ相（接地相）、Ｔ相）三線式の被測定電線路に流れている漏洩電流Ｉ０を検出し、被測定電線路の非接地相（Ｒ相−Ｔ相）間に発生している電圧Ｖを検出し、漏洩電流Ｉ０と、電圧Ｖから位相差を検出し、電圧Ｖに基づいて、被測定電線路に発生している電源周波数を算出し、位相差と、電源周波数に基づき、被測定電線路に流れている漏洩電流の位相角度θを算出し、漏洩電流Ｉ０と、位相角度θに基づき、被測定電線路に流れている漏洩電流Ｉ０に含まれている対地絶縁抵抗に起因する漏洩電流成分Ｉｇｒを算出する。【選択図】図１
2010197400.tif 000002
【特許請求の範囲】
【請求項１】
電気方式が三相（Ｒ相、Ｓ相（接地相）、Ｔ相）三線式の被測定電線路に流れている漏洩電流を検出する漏洩電流検出部と、
上記被測定電線路の非接地相（Ｒ相−Ｔ相）間に発生している電圧を検出する電圧検出部と、
上記漏洩電流検出部により検出された漏洩電流と、上記電圧検出部により検出された電圧から位相差を検出する位相差検出部と、
上記電圧検出部により検出された電圧に基づいて、上記被測定電線路に発生している電源周波数を算出する周波数算出部と、
前記位相差検出部により検出された位相差と、上記周波数算出部で算出された電源周波数に基づき、上記被測定電線路に流れている漏洩電流の位相角度を算出する位相角度算出部と、
前記漏洩電流検出部により検出された漏洩電流と、上記位相角度算出部により算出された上記被測定電線路に流れている漏洩電流の位相角度に基づき、上記被測定電線路に流れている漏洩電流に含まれている対地絶縁抵抗に起因する漏洩電流成分を算出する対地絶縁抵抗漏洩電流成分算出部を備える漏洩電流検出装置。
【請求項２】
上記対地絶縁抵抗漏洩電流成分算出部は、前記漏洩電流検出部により検出された漏洩電流Ｉ０と、上記位相角度算出部により算出された上記被測定電線路のＲ相−Ｓ相間又はＴ相−Ｓ相間に流れている漏洩電流の位相角度θから、上記被測定電線路のＲ相−Ｓ相間又はＴ相−Ｓ相間に流れている漏洩電流に含まれている対地絶縁抵抗に起因する漏洩電流成分Ｉｇｒを、
Ｉｇｒ＝（Ｉ０×ｓｉｎθ）／ｃｏｓ３０°
により算出する請求項１記載の漏洩電流検出装置。
【請求項３】
上記漏洩電流検出手段は、接地線路を含む被測定電線路をクランプし、上記被測定電線路に流れている漏洩電流を検出する請求項１に記載の漏洩電流検出装置。
【請求項４】
電気方式が三相（Ｒ相、Ｓ相（接地相）、Ｔ相）三線式の被測定電線路に流れている漏洩電流を検出する漏洩電流検出工程と、
上記被測定電線路の非接地相（Ｒ相−Ｔ相）間に発生している電圧を検出する電圧検出工程と、
上記漏洩電流検出工程により検出された漏洩電流と、上記電圧検出工程により検出された電圧から位相差を検出する位相差検出工程と、
上記電圧検出工程により検出された電圧に基づいて、上記被測定電線路に発生している電源周波数を算出する周波数算出工程と、
前記位相差検出工程により検出された位相差と、上記周波数算出工程で算出された電源周波数に基づき、上記被測定電線路に流れている漏洩電流の位相角度を算出する位相角度算出工程と、
前記漏洩電流検出工程により検出された漏洩電流と、上記位相角度算出工程により算出された上記被測定電線路に流れている漏洩電流の位相角度に基づき、上記被測定電線路に流れている漏洩電流に含まれている対地絶縁抵抗に起因する漏洩電流成分を算出する対地絶縁抵抗漏洩電流成分算出工程を有する漏洩電流検出方法。
【発明の詳細な説明】
【技術分野】
【０００１】
本発明は、漏洩電流を計測する漏洩電流検出装置及び方法に関する。
【背景技術】
【０００２】
日常生活の中で、電気の存在を意識することはあまりないが、周知のように、エネルギー源として、また、情報や通信を初めとする様々な分野に利用され、我々の社会にとって、なくてはならない存在となっている。
【０００３】
一方で、電気の利用は、便利な反面、適切な管理や使用を誤れば、大変危険な側面も兼ね備えており、電気火災や感電事故等の重大な事故を引き起こす可能性も少なくない。
【０００４】
例えば、その重大事故の原因の一つとして、電路や機器の絶縁不良に深く関係しているのが漏洩電流である。しかし、この漏洩電流を調べるには、大変な時間を要するうえに、停電させて絶縁不良だけの数値を絶縁抵抗計により測定する必要がある。
【０００５】
しかしながら、現在の社会状況では、コンピュータが社会の各方面に利用され、インテリジェントビルの普及拡大及び工場のＦＡ（ファクトリー・オートメーション）化により、２４時間連続稼働するシステムが構築されており、漏洩電流を計測するために、一時的に停電状態にすることができない状況となっている。
【０００６】
したがって、現在では、このような高度情報化による社会の無停電化の要請から、電路及び機器の絶縁不良管理が停電を伴う絶縁抵抗計による方法から、電気を切ることなく測定できる漏洩電流測定方法に移ってきており、漏洩電流遮断器や漏洩電流火災警報機等により漏洩電流を測定して絶縁状態を管理する通電中の予防策は種々提案されている（例えば、特許文献１及び特許文献２参照）。
【０００７】
ところで、漏洩電流Ｉには、対地静電容量に起因する漏洩電流（Ｉｇｃ）と、絶縁抵抗に直接関与している対地絶縁抵抗に起因する漏洩電流（Ｉｇｒ）とが含まれている。上述した漏電火災等を引き起こす原因は、絶縁抵抗の存在であり、この絶縁抵抗に起因する漏洩電流（Ｉｇｒ）のみを正確に検出することができれば、回路の絶縁状態をチェックすることができ、漏電火災等の大惨事を避けることができる。
【先行技術文献】
【特許文献】
【０００８】
【特許文献１】特開２００１−２１５２４７号公報
【特許文献２】特開２００２−９８７２９号公報
【発明の概要】
【発明が解決しようとする課題】
【０００９】
しかしながら、工場等で使用される電気機器は、機器同士を結線する際に電線路の長さが長大になることがあり、この電線路の長大化により、対地静電容量が増大化し、それに伴って対地静電容量に起因する漏洩電流（Ｉｇｃ）が大きくなってしまう。
【００１０】
また、これらの電気機器は、電力用半導体素子を応用したインバータを搭載している。電気機器では、この搭載しているインバータを高速の電子スイッチとして使用しているため、必然的に、商用電源の基本周波数である５０Ｈｚ若しくは６０Ｈｚの整数倍の正弦波である高調波歪み電流が発生する。高調波歪み電流には、高い周波数成分が含まれているため、電線路に自然分布している対地静電容量を通過し、電線路に流れてしまい、電線路に流れた高調波歪み電流により漏洩電流Ｉの値が大きくなってしまう。
【００１１】
したがって、絶縁の良否に直接関係する対地絶縁抵抗に起因する漏洩電流（Ｉｇｒ）が電線路の長大化及びインバータ等による高調波歪み電流の影響を受けてしまい、正確に検出することが困難となる。
【００１２】
また、部品が高密度に実装された機器、例えば、電話機、ファクシミリ、プリンター及び複合機等では、絶縁箇所を調べるために、絶縁抵抗計等により計測を行った場合、注入する測定電圧により電子回路が影響を受けてしまう恐れがある。したがって、このような機器では、機能破壊を招く恐れがあることから、絶縁抵抗の測定自体ができない機器も多数存在する。
【００１３】
そこで、本願発明では、上述した問題に鑑みて案出されたものであり、漏洩電流を計測し、検出のために電路及び機械設備等を停電状態にすることなく、かつ、被測定電線路に接続されている機器の機能を破壊することなく、外部から簡単かつ安全に絶縁の良否に直接関係する対地絶縁抵抗に起因する漏洩電流（Ｉｇｒ）のみを検出する漏洩電流検出装置及び方法を提供する。
【課題を解決するための手段】
【００１４】
本発明に係る漏洩電流検出装置は、電気方式が三相（Ｒ相、Ｓ相（接地相）、Ｔ相）三線式の被測定電線路に流れている漏洩電流を検出する漏洩電流検出部と、上記被測定電線路の非接地相（Ｒ相−Ｔ相）間に発生している電圧を検出する電圧検出部と、上記漏洩電流検出部により検出された漏洩電流と、上記電圧検出部により検出された電圧から位相差を検出する位相差検出部と、上記電圧検出部により検出された電圧に基づいて、上記被測定電線路に発生している電源周波数を算出する周波数算出部と、前記位相差検出部により検出された位相差と、上記周波数算出部で算出された電源周波数に基づき、上記被測定電線路に流れている漏洩電流の位相角度を算出する位相角度算出部と、前記漏洩電流検出部により検出された漏洩電流と、上記位相角度算出部により算出された上記被測定電線路に流れている漏洩電流の位相角度に基づき、上記被測定電線路に流れている漏洩電流に含まれている対地絶縁抵抗に起因する漏洩電流成分を算出する対地絶縁抵抗漏洩電流成分算出部を備える構成である。
【００１５】
また、上記漏洩電流検出装置では、上記対地絶縁抵抗漏洩電流成分算出部は、前記漏洩電流検出部により検出された漏洩電流Ｉ０と、上記位相角度算出部により算出された上記被測定電線路のＲ相−Ｓ相間又はＴ相−Ｓ相間に流れている漏洩電流の位相角度θから、上記被測定電線路のＲ相−Ｓ相間又はＴ相−Ｓ相間に流れている漏洩電流に含まれている対地絶縁抵抗に起因する漏洩電流成分Ｉｇｒを、
Ｉｇｒ＝（Ｉ０×ｓｉｎθ）／ｃｏｓ３０°
により算出することが好ましい。
【００１６】
また、上記漏洩電流検出装置では、上記漏洩電流検出手段は、接地線路を含む被測定電線路をクランプし、上記被測定電線路に流れている漏洩電流を検出することが好ましい。
【００１７】
本発明に係る漏洩電流検出方法は、電気方式が三相（Ｒ相、Ｓ相（接地相）、Ｔ相）三線式の被測定電線路に流れている漏洩電流を検出する漏洩電流検出工程と、上記被測定電線路の非接地相（Ｒ相−Ｔ相）間に発生している電圧を検出する電圧検出工程と、上記漏洩電流検出工程により検出された漏洩電流と、上記電圧検出工程により検出された電圧から位相差を検出する位相差検出工程と、上記電圧検出工程により検出された電圧に基づいて、上記被測定電線路に発生している電源周波数を算出する周波数算出工程と、前記位相差検出工程により検出された位相差と、上記周波数算出工程で算出された電源周波数に基づき、上記被測定電線路に流れている漏洩電流の位相角度を算出する位相角度算出工程と、前記漏洩電流検出工程により検出された漏洩電流と、上記位相角度算出工程により算出された上記被測定電線路に流れている漏洩電流の位相角度に基づき、上記被測定電線路に流れている漏洩電流に含まれている対地絶縁抵抗に起因する漏洩電流成分を算出する対地絶縁抵抗漏洩電流成分算出工程を有する。
【発明の効果】
【００１８】
本発明では、正確な漏洩電流の位相角度を算出することができ、また、正確な位相角度と、対地絶縁抵抗のみに起因する漏洩電流を算出することができる。よって、本発明では、被測定電線路の長大化により、又はインバータによる高調波歪み電流による影響を受けて、対地静電容量が増大しても、漏電火災等の大惨事を招く対地絶縁抵抗のみに起因する漏洩電流のみを検出することができる。
【００１９】
また、本発明では、漏洩電流を計測検出のために電路・機械設備等を一時的な停電状態にすることなく、簡単かつ安全にＩｇｒを測定することができる。
【図面の簡単な説明】
【００２０】
【図１】本発明に係る漏洩電流検出装置の構成を示すブロック図である。
【図２】電源が単相の場合と三相の場合における対地絶縁抵抗に起因する漏洩電流Ｉｇｒと対地静電容量に起因する漏洩電流Ｉｇｃの位相差を示す図である。
【図３】本発明に係る漏洩電流検出装置に備えられている遮断部の構成を示す図である。
【図４】本発明に係る漏洩電流検出装置により行われる漏洩電流の検出する様子を波形で示した図である。
【図５】本発明に係る漏洩電流検出装置により行われる漏洩電流の検出する様子をベクトルで示した図である。
【図６】本発明に係る漏洩電流検出装置の動作について説明するフローチャートである。
【図７】本発明に係る漏洩電流検出装置により電線路を実際に測定したときの第１のデータ例を示す図である。
【図８】本発明に係る漏洩電流検出装置により電線路を実際に測定したときの第２のデータ例を示す図である。
【図９】比較部に入力された変換後電圧Ｖ１と電圧Ｖ２の位相差を示す図である。
【図１０】Ａは、比較部に入力されたときの変換後電圧Ｖ１の波形と、変換後電圧Ｖ１に基づき方形波変換したときの波形を示す図であり、Ｂは、比較部に入力されたときの電圧Ｖ２の波形と、電圧Ｖ２に基づき方形波変換したときの波形を示す図である。
【図１１】図１０に示した変換後電圧Ｖ１に基づき方形波変換したときの波形と、電圧Ｖ２に基づき方形波変換したときの波形に基づきＥＸＯＲを実行した際に形成される波形を示す図である。
【発明を実施するための形態】
【００２１】
以下、本発明の実施の形態としての漏洩電流遮断装置及び方法について説明する。
【００２２】
漏洩電流遮断装置１は、図１に示すように、被測定電線路Ａの全体にクランプし、被測定電線路Ａに流れている漏洩電流Ｉを検出するカレントトランスセンサ（以下ＣＴセンサという。）部１０と、ＣＴセンサ部１０により検出された漏洩電流Ｉを電圧に変換し、変換後の電圧（以下「変換後電圧」という。）Ｖ１を増幅する増幅部１１と、増幅後の変換後電圧Ｖ１から高調波成分を除去するローパスフィルター（以下ＬＰＦという。）１２と、ＬＰＦ１２で高調波成分が除去された変換後電圧Ｖ１を整流する全波整流部１３と、被測定電線路Ａの電圧線路から電圧Ｖ２を検出する電圧検出部１４と、電圧検出部１４で検出された電圧Ｖ２を所定の変圧比になるように変圧する変圧器１５と、変圧器１５で所定の電圧値に変圧された電圧Ｖ２から高調波成分を除去するローパスフィルター（以下ＬＰＦという。）１６と、ＬＰＦ１６で高調波成分が除去された電圧Ｖ２を整流する全波整流部１７と、ＬＰＦ１２により高調波成分が除去された変換後電圧Ｖ１の信号波形Ｓ１と、ＬＰＦ１６により高調波成分が除去された電圧Ｖ２の信号波形Ｓ２とを比較する比較部１８と、比較部１８により比較された結果に基づき所定の演算を行う演算部１９と、演算部１９による演算結果に基づき位相パルス幅を測定する位相パルス幅測定部２０と、ＬＰＦ１６により高調波成分が除去された電圧Ｖ２の信号から被測定電線路Ａの電圧線路に発生している電源周波数を測定する電源周波数測定部２１と、位相パルス幅測定部２０で測定された位相パルスと、電源周波数測定部２１で測定された電源周波数から被測定電線路Ａに流れる漏洩電流Ｉの位相角度を算出する位相角度算出部２２と、全波整流部１３で整流された変換後電圧Ｖ１をデジタル信号に変換するＡ／Ｄ変換部２３と、Ａ／Ｄ変換部２３でデジタル信号に変換された変換後電圧Ｖ１の実効値を算出する実効値算出部２４と、全波整流部１７で整流された電圧Ｖ２をデジタル信号に変換するＡ／Ｄ変換部２５と、Ａ／Ｄ変換部２５でデジタル信号に変換された電圧Ｖ２の実効値を算出する実効値算出部２６と、位相角度算出部２２で算出された漏洩電流Ｉの位相角度と、実効値算出部２４で算出された変換後電圧Ｖ１の実効値から対地絶縁抵抗に起因する漏洩電流Ｉｇｒを算出する漏洩電流算出部２７と、位相角度算出部２２で算出された漏洩電流Ｉの位相角度と、実効値算出部２６で算出された電圧Ｖ２の実効値から対地絶縁抵抗の抵抗値を算出する抵抗値算出部２８と、漏洩電流算出部２７で算出された漏洩電流Ｉｇｒが、任意の値を超えたかどうかを判断する判断部２９と、判断部２９による判断に基づいて、被測定電線路Ａを遮断する遮断部３０と、外部機器と通信する通信部３３を備えてなる。
【００２３】
また、遮断部３０は、既存の漏電ブレーカに準じており、遮断スピードは概ね２サイクル（５０Ｈｚの場合には０．０４秒）〜５サイクル（５０Ｈｚの場合には０．１秒）程度である。また、本願発明に係る漏洩電流遮断装置１では、図１中のＢ部分をチップ化し、既存のブレーカにおけるＩ０の検出を行うブロック（回路）に置き換えて構成されるものを想定している。
【００２４】
ＣＴセンサ部１０は、被測定電線路Ａに流れている漏洩電流成分から生じる磁気を検出し、検出した磁気から電流を生成する。ＣＴセンサ部１０は、生成した電流を漏洩電流Ｉとして増幅部１１に供給する。なお、ＣＴセンサ部１０により生成された漏洩電流Ｉは、対地静電容量に起因する漏洩電流Ｉｇｃと、絶縁抵抗に直接関与している対地絶縁抵抗に起因する漏洩電流Ｉｇｒとが含まれている。なお、漏洩電流Ｉｇｃは、被測定線路Ａの長さに応じて容量が増大するだけでなく、電気機器に使用されているインバータやノイズフィルター等に起因する高調波歪み電流によっても容量が増大する。
【００２５】
増幅部１１は、ＣＴセンサ部１０から供給された漏洩電流Ｉを電圧に変換し、変換後電圧Ｖ１を所定のレベルまで増幅する。また、増幅部１１は、例えば、ＣＴセンサ部１０から供給された漏洩電流Ｉが０ｍＡ〜１０ｍＡのときには、二段で増幅し、また、ＣＴセンサ部１０から供給された漏洩電流Ｉが１０ｍＡ〜３００ｍＡのときには、一段で増幅する。増幅部１１は、増幅後の変換後電圧Ｖ１をＬＰＦ１２に供給する。ＬＰＦ１２は、変換後電圧Ｖ１に含まれている高調波成分を除去する。ＬＰＦ１２は、高調波成分が除去された変換後電圧Ｖ１を全波整流部１３と比較部１８に供給する。全波整流部１３は、供給された変換後電圧Ｖ１を整流し、整流後の変換後電圧Ｖ１をＡ／Ｄ変換部２３に供給する。
【００２６】
電圧検出部１４は、被測定電線路Ａに電圧プローブを接続することにより、電圧線路に発生している電圧を検出する。なお、電圧検出部１４は、被測定電線路Ａの電気方式が三相３線式（デルタ結線からなる方式）の場合には、Ｓ相（接地）以外のＲ相とＴ相間の電圧を検出する。また、電圧検出部１４は、被測定電線路Ａの電気方式が三相４線式（スター結線からなる方式）の場合には、接地線以外の相間から電圧を検出する。また、電圧検出部１４は、被測定電線路Ａの電気方式が単相２線式の場合には、Ｎ相とＬ相間の電圧を検出する。
【００２７】
そして、電圧検出部１４は、被測定電線路Ａから検出した電圧Ｖ２から基準点を求め、電圧Ｖ２を変圧器１５に供給する。例えば、電圧検出部１４は、被測定電線路Ａから検出した電圧Ｖ２の０クロスする点を基準点とする。
【００２８】
変圧器１５は、供給された電圧Ｖ２を所定の電圧値に変圧し、変圧後の電圧ＶをＬＰＦ１６に供給する。変圧器１５は、例えば、電圧比が２０：１になるように変圧を行う。ＬＰＦ１６は、供給された電圧Ｖ２に含まれている高調波成分を除去する。ＬＰＦ１６は、高調波成分を除去した電圧Ｖ２を全波整流部１７と、比較部１８と、電源周波数測定部２１に供給する。全波整流部１７は、供給された電圧Ｖ２を整流し、整流後の電圧Ｖ２をＡ／Ｄ変換部２５に供給する。
【００２９】
比較部１８では、ＬＰＦ１２から供給された変換後電圧Ｖ１の０Ｖクロス点をとり、方形波変換を行い、方形波変換後の信号を演算部１９に供給する。また、比較部１８では、ＬＰＦ１６から供給された電圧Ｖ２の０Ｖクロス点をとり、方形波変換を行い、方形波変換後の信号を演算部１９に供給する。
【００３０】
演算部１９は、比較部１８から供給される信号に基づき所定の演算を行い、演算後の信号を位相パルス幅測定部２０に供給する。演算部１９は、例えば、ＥＸＯＲ（排他的論理和）回路からなっており、比較部１８から供給されてきた２つの方形波変換後の信号についてＥＸＯＲ演算を実行する。
【００３１】
位相パルス幅測定部２０は、演算部１９から供給される演算結果に基づき、変換後電圧Ｖ１と電圧Ｖ２の位相パルス幅を検出する。ここで、位相パルス幅測定部２０の動作について説明する。
【００３２】
電気方式が単相の場合には、図２Ａに示すように、漏洩電流Ｉｇｒの位相角θは０°、漏洩電流Ｉｇｃの位相角θは９０°となる。したがって、漏洩電流Ｉｇｒと漏洩電流Ｉｇｃの位相差は、９０°（１／４サイクル）となる。また、電源が三相の場合には、図２Ｂに示すように、漏洩電流Ｉｇｒの位相角θは６０°、漏洩電流Ｉｇｃの位相角θは０°となる。したがって、漏洩電流Ｉｇｒと漏洩電流Ｉｇｃの位相差は、６０°（１／６サイクル）となる。そこで、位相パルス幅測定部２０は、電源が単相のときでも、三相のときでも対応できるように、位相パルス幅を１サイクルの１／４以下のもののみ対象とする。
【００３３】
ゆえに、位相パルス幅測定部２０は、演算部１９から供給される演算結果に基づいて算出した、１サイクルの１／４以下の位相パルス幅を位相角度算出部２２に出力する。なお、電源周波数が６０Ｈｚの場合には、１サイクルが１６．６ｍｓであるので、位相パルス幅は、４．１５ｍｓ以下となり、また、電源周波数が５０Ｈｚの場合には、１サイクルが２０ｍｓであるので、５ｍｓ以下となる。
【００３４】
電源周波数測定部２１は、ＬＰＦ１６から供給された電圧Ｖ２に基づき、電源周波数を測定し、測定結果を位相角度算出部２２に供給する。なお、被測定電線路Ａが商用電源であれば、電源周波数測定部２１の測定結果は、５０Ｈｚ若しくは６０Ｈｚとなる。また、電源周波数測定部２１は、ＬＰＦ１６から供給された電圧Ｖ２に基づき、５０Ｈｚ又は６０Ｈｚの何れかを判定する構成であっても良い。
【００３５】
位相角度算出部２２は、位相パルス幅測定部２０から供給された位相パルス幅Ｗと、電源周波数測定部２１から供給された電源周波数Ｆに基づき、下記（１）式により被測定電線路Ａに流れている漏洩電流Ｉの位相角度θを算出する。
θ＝３６０×Ｗ×Ｆ・・・（１）
【００３６】
位相角度算出部２２は、算出した位相角度θを漏洩電流算出部２７に供給する。
【００３７】
Ａ／Ｄ変換部２３は、全波整流部１３から供給された整流後の変換後電圧Ｖ１をデジタル信号に変換し、変換後の信号を実効値算出部２４に供給する。実効値算出部２４は、Ａ／Ｄ変換部２３から供給された信号に基づき、下記（２）式により変換後電圧Ｖ１の実効値Ｉ０を算出する。なお、実効値算出部２４に供給される信号は、被測定電線路Ａに流れている漏洩電流Ｉを電圧に変換した変換後電圧Ｖ１に基づくものであるので、便宜的にＩ０とする。
Ｉ０＝Ｉ×（π／２）／√２・・・（２）
【００３８】
実効値算出部２４は、算出した実効値Ｉ０を漏洩電流算出部２７に供給する。
【００３９】
また、Ａ／Ｄ変換部２５は、全波整流部１７から供給された整流後の電圧Ｖ２をデジタル信号に変換し、変換後の信号を実効値算出部２６に供給する。実効値算出部２６は、Ａ／Ｄ変換部２５から供給された信号に基づき、下記（３）式により電圧Ｖ２の実効値Ｖ０を算出する。
Ｖ０＝Ｖ×（π／２）√２・・・（３）
【００４０】
実効値算出部２６は、算出した実効値Ｖ０を抵抗値算出部２８に供給する。
【００４１】
漏洩電流算出部２７は、位相角度算出部２２から供給された位相角度θと、実効値算出部２４から供給されたＩ０に基づき、漏洩電流Ｉｇｒを算出し、算出した漏洩電流Ｉｇｒを抵抗値算出部２８に供給する。なお、電源が単相電源の場合には、下記（４）式により漏洩電流Ｉｇｒを算出し、電源が三相電源の場合には、下記（５）式により漏洩電流Ｉｇｒを算出する。
Ｉｇｒ＝Ｉ０×ｃｏｓθ・・・（４）
Ｉｇｒ＝（Ｉ０×ｓｉｎθ）／ｃｏｓ３０°・・・（５）
【００４２】
なお、漏洩電流算出部２７は、電源が単相電源であるか三相電源であるかを、ロータリースイッチの選択状態に応じて判断することとする。
【００４３】
抵抗値算出部２８は、実効値算出部２６から供給された実効値Ｖ０と、漏洩電流算出部２７から供給された漏洩電流Ｉｇｒに基づき、下記（６）式によりＧｒを算出する。
Ｇｒ＝Ｖ０／Ｉｇｒ・・・（６）
【００４４】
判断部２９は、漏洩電流算出部２７で算出された漏洩電流Ｉｇｒが任意の値を超えている場合には、所定の遮断信号ＳＣを生成し、生成した遮断信号ＳＣを遮断部３０に供給する。
【００４５】
遮断部３０は、判断部２９から供給された遮断信号ＳＣに基づき、被測定電線路Ａを遮断する。また、遮断部３０は、図３に示すように、引き外しコイルＴＣ等により構成されており、判断部２９から供給される遮断信号ＳＣに基づいて被測定電線路Ａを遮断する。
【００４６】
また、漏洩電流遮断装置１は、任意の値を設定する設定部３１を備え、漏洩電流算出部２７で算出された漏洩電流Ｉｇｒが、設定部３１で設定された任意の値を超えているかどうかを判断部２９で判断する構成であっても良い。また、このような構成の場合、設定部３１は、予め定められている複数の値をロータリースイッチで選択できるような構成であっても良い。また、値は、例えば、１０ｍＡステップで設定されている。
【００４７】
また、漏洩電流遮断装置１は、漏洩電流算出部２７により算出された漏洩電流Ｉｇｒを記録する記録部３２を備える構成であっても良い。記録部３２では、漏洩電流算出部２７により算出された漏洩電流Ｉｇｒを経過時間ごとに記録するので、ユーザは、漏洩電流Ｉｇｒの時間的な変化の様子を把握することができる。
【００４８】
例えば、ユーザは、通信コネクタを介してモニタ装置を漏洩電流遮断装置１に接続し、記録部３２に記憶されているデータにアクセスする。なお、漏洩電流遮断装置１には、予め固有の識別番号をセットしておく。
【００４９】
モニタ装置は、通信コネクタを介して、漏洩電流遮断装置１から、実効値算出部２４で算出された実効値Ｉ０と、漏洩電流算出部２７で算出された漏洩電流Ｉｇｒと、電圧検出部１４で検出した被測定電線路Ａの電圧値Ｖと、電源周波数測定部２１で測定された周波数と、漏洩電流遮断装置１の識別番号を読み出す。また、モニタ装置は、通信部３３と接続されるコネクタの形状を丸形コネクタとし、通信部３３との接触不良をなくすため、外れ防止機構を備えている。
【００５０】
記録部３２に記録されているデータを参照し、漏洩電流Ｉｇｒの時間的な変化の様子から、例えば、瞬時に漏洩電流Ｉｇｒが任意の値に達していることを把握した場合には、漏洩電流Ｉｇｒが任意の値に達したときに起動させた機器、若しくは起動中の機器が漏電の原因である疑いが強いので、これを手がかりにして、漏電箇所の特定ができる。
【００５１】
また、漏洩電流Ｉｇｒの時間的な変化の様子から、例えば、徐々に漏洩電流Ｉｇｒが増えていることを把握した場合には、起動中の機器を検査することにより、漏電の原因となる機器を早期に発見することができる。
【００５２】
上述のように構成される本願発明に係る漏洩電流遮断装置１では、例えば、被測定電線路Ａの電源が三相式の場合、電源を単相式と同様の処理が可能な構成となっている。ここで、本願発明に係る漏洩電流遮断装置１の原理について述べる。
【００５３】
ＣＴセンサ部１０は、被測定電線路Ａをクランプし、図４Ａに示すように、位相が１２０°ずつ異なるＲ相−Ｓ相間、Ｓ相−Ｔ相間及びＴ相−Ｒ相間の波形を検出する。なお、図４Ａでは、便宜的にそれぞれの波形を示しているが、ＣＴセンサ部１０で検出される波形は合成波形である。ＣＴセンサ部１０により検出された合成波形は、増幅部１１、ＬＰＦ１２及び比較部１８を介して演算部１９に入力される。
【００５４】
また、電圧検出部１４は、Ｒ相及びＴ相に電圧プローブを接続し、Ｒ相−Ｔ相間の電圧を検出し、検出した電圧を、図４Ｂに示すように、反転させる。電圧検出部１４は、検出した電圧の所定の場所で０クロスする点を基準点ａとして定める。このように基準点ａが定まった電圧Ｖ２は、変圧器１５、ＬＰＦ１６及び比較部１８を介して演算部１９に入力される。
【００５５】
例えば、被測定電線路ＡのＲ相に漏洩電流Ｉｇｒ（以下「Ｒ相Ｉｇｒ」という。）のみが発生し、また、Ｔ相に漏洩電流Ｉｇｒ（以下「Ｔ相Ｉｇｒ」という。）のみが発生している場合には、図４Ｃに示すように、Ｒ相Ｉｇｒは、基準点ａから１２０°の位相差が生じ、Ｔ相Ｉｇｒは、基準点ａから６０°の位相差が生じる。
【００５６】
また、被測定電線路ＡのＲ相に漏洩電流Ｉｇｃ（以下「Ｒ相Ｉｇｃ」という。）のみが発生し、また、Ｔ相に漏洩電流Ｉｇｃ（以下「Ｔ相Ｉｇｃ」という。）のみが発生している場合には、図４Ｄに示すように、Ｒ相ＩｇｃとＴ相Ｉｇｃの合成波形の基準点ａからの位相差は、１８０°（０°）である。
【００５７】
さらに、被測定電線路ＡのＲ相に漏洩電流Ｉｇｒと漏洩電流Ｉｇｃとが発生し、Ｔ相に漏洩電流Ｉｇｒと漏洩電流Ｉｇｃとが発生している場合には、図４Ｅに示すようになる。
【００５８】
また、上述の説明をベクトルで表すと、以下のようになる。被測定電線路Ａが三相式なので、図５Ａに示すようになる。そして、電圧検出部１４でＲ相−Ｔ相間の電圧を検出し、検出した電圧から基準点ａを求めると、図５Ｂに示すように、単相式のベクトル図となる。なお、上述したように、Ｒ相Ｉｇｒと基準点ａとの位相差は、６０°であり、また、Ｔ相Ｉｇｒと基準点ａとの位相差は、１２０°である。
【００５９】
また、単相式の場合には、図２Ａを用いて既述したように、漏洩電流Ｉｇｒと漏洩電流Ｉｇｃの位相差は９０°なので、Ｒ相Ｉｇｒから９０°回った位置にＲ相Ｉｇｃを求めることができ、また、Ｔ相Ｉｇｒから９０°回った位置にＴ相Ｉｇｃを求めることができる。さらに、基準点ａから１８０°（０°）の位置に、Ｒ相ＩｇｃとＴ相Ｉｇｃとの合成ベクトルＩｇｃを求めることができる（図５Ｃ）。
【００６０】
したがって、例えば、被測定電線路ＡにＲ相Ｉｇｒのみが発生している場合には、Ｒ相ＩｇｒとＩｇｃとの合成ベクトル、すなわち被測定電線路Ａに流れている漏洩電流Ｉ０は、図５Ｄのように表すことができる。なお、図５Ｄから、Ｒ相Ｉｇｒを算出する式として、上述した（５）式を導き出すことができる。また、漏洩電流Ｉ０の位相差θは、Ｒ相Ｉｇｒ及びＩｇｃの大きさにより変化し、変化の幅は、基準点ａから６０°〜１８０°である。
【００６１】
また、例えば、被測定電線路ＡにＴ相Ｉｇｒのみが発生している場合には、Ｔ相ＩｇｒとＩｇｃとの合成ベクトル、すなわち被測定電線路Ａに流れている漏洩電流Ｉ０は、図５Ｅのように表すことができる。なお、図５Ｅから、Ｔ相Ｉｇｒを算出する式として、上述した（５）式を導き出すことができる。また、漏洩電流Ｉ０の位相差θは、Ｔ相Ｉｇｒ及びＩｇｃの大きさにより変化し、変化の幅は、１２０°〜１８０°である。
【００６２】
ここで、上述に示した本願発明に係る漏洩電流遮断装置１により、被測定電線路Ａに流れる漏洩電流Ｉｇｒを検出し、検出した漏洩電流Ｉｇｒに基づいて、被測定電線路Ａを遮断する動作について図６に示すフローチャートを用いて説明する。なお、漏洩電流遮断装置１は、既存の漏電ブレーカ内に収納することを想定しているが、収納できない場合には、外付けであっても良い。
【００６３】
ステップＳＴ１において、ユーザは、被測定電線路Ａの種類（単相２線式、単相３線式及び三相３線式等）に応じて、漏洩電流遮断装置１の図示しないロータリースイッチを切り換える。なお、ステップＳＴ１の工程では、被測定電線路Ａは、遮断状態である。
【００６４】
ステップＳＴ２において、ユーザは、設定部３１を操作し、任意の値を設定する。
【００６５】
ステップＳＴ３において、ユーザは、漏洩電流遮断装置１を通電状態にする。
【００６６】
その後、漏洩電流遮断装置１は、漏洩電流算出部２７により被測定電線路Ａの漏洩電流Ｉｇｒの算出を行い、判断部２９により漏洩電流Ｉｇｒが任意の値に達したかどうかの判断を行う。そして、漏洩電流遮断装置１は、判断部２９により任意の値に達したと判断した場合に、遮断部３０により被測定電線路Ａを遮断する。
【００６７】
ここで、本発明に係る漏洩電流遮断装置１により、実際に被測定電線路から漏洩電流成分を測定した第１の結果を図７に示す。図７は、屋上受配電キュービクル（高圧受電設備）の動力盤（電源周波数：５０Ｈｚ、電圧：２００Ｖ、被測定低電圧電路の種類：三相３線式、１５０ｋｖＡ、室温：４１℃、湿度：４３％）を測定対象として行ったものである。
【００６８】
また、実験では、測定開始から６分経過時〜９分経過前（３分間）に疑似絶縁抵抗としてＲ相に２０ｋΩを接地し、測定開始から９分経過時〜１１分経過前（２分間）に疑似絶縁抵抗としてＴ相に２０ｋΩを接地し、測定開始から１１分経過時〜１２分経過前（１分間）に疑似絶縁抵抗を外し（接地解除）、測定開始から１２分経過時〜１３分経過前（１分間）に疑似絶縁抵抗としてＲ相に１０ｋΩを接地し、測定開始から１３分経過時〜１５分経過前（２分間）に疑似絶縁抵抗としてＴ相に１０ｋΩを接地し、測定開始から１５分経過後に疑似絶縁抵抗を外した。
例えば、疑似絶縁抵抗としてＲ相に２０ｋΩの抵抗を接地した場合には、理論的に、疑似絶縁抵抗成分の電流として、
Ｉｇｒ＝Ｖ／Ｒ＝２００／（２０×１０３）＝１０ｍＡ
の電流が被測定電線路に加算されて流れる。
【００６９】
漏洩電流遮断装置１は、図７に示すように、時間が６分経過時に、疑似絶縁抵抗としてＲ相に２０ｋΩの抵抗を接地したら、１２．３ｍＡの漏洩電流Ｉｇｒを検出した。疑似絶縁抵抗を接地していないとき（測定開始から６分経過前、測定開始から１１分経過時〜１２分経過前及び測定開始から１５分経過後）の漏洩電流Ｉｇｒが２ｍＡであるので、Ｒ相に２０ｋΩの疑似抵抗を接地した後の漏洩電流Ｉｇｒから２ｍＡを差し引くと、１０．３ｍＡとなる。したがって、本願発明に係る漏洩電流遮断装置１は、１０．３ｍＡの変化を測定できたことになる。この値は、上述した理論値（１０ｍＡ）とほぼ一致している。
【００７０】
また、Ｒ相に疑似絶縁抵抗を２０ｋΩ接地したとき、接地前の抵抗値（Ｇｒ≒１０５．４６ｋΩ（測定開始から６分経過前までのＧｒの平均値））との合成抵抗値は、
Ｇｒ＝（２０×１０３×１０５．４６×１０３）／（２０×１０３＋１０５．４６×１０３）≒１６．３ｋΩ
となる。漏洩電流遮断装置１は、図７に示すように、測定開始から６分経過時の抵抗Ｇｒは１７．２ｋΩを示しており、上述した理論値（１６．３ｋΩ）とほぼ一致している。
【００７１】
また、疑似絶縁抵抗としてＴ相に２０ｋΩの抵抗を接地した場合にも、上述と同様に、理論的には、疑似絶縁抵抗成分の電流は１０ｍＡ増加する。漏洩電流遮断装置１では、図７に示すように、測定開始から９分経過時〜１１分経過前に検出した漏洩電流Ｉｇｒは、ほぼ１２．４ｍＡとなっており、該数値から２ｍＡを差し引くと、１０．４ｍＡとなり、ほぼ理論値（１０ｍＡ）と一致する。
【００７２】
また、Ｔ相に疑似絶縁抵抗を２０ｋΩ接地したときの合成抵抗値Ｇｒは、上述と同様に、理論的には、１６．３ｋΩであり、測定値は１７．４ｋΩを示しており、ほぼ理論値と一致している。
【００７３】
また、漏洩電流遮断装置１は、図７に示すとおり、疑似絶縁抵抗としてＲ相又はＴ相に１０ｋΩを接地したときの漏洩電流ＩｇｒとＧｒも理論値と実測値がほぼ一致している。
【００７４】
さらに、漏洩電流遮断装置１は、測定開始から１１分経過後から１２分経過前、及び１５分経過時に疑似絶縁抵抗の接地状態を解除した場合、漏洩電流Ｉｇｒ、Ｉ０及びＧｒの値が接地以前（測定開始から１分〜５分）の状態に戻った。
【００７５】
また、本発明に係る漏洩電流遮断装置１により、実際に被測定電線路から漏洩電流成分を測定した第２の結果を図８に示す。図８は、受配電キュービクル（高圧受電設備）の動力盤（電源周波数：５０Ｈｚ、電圧：２００Ｖ、被測定低電圧電路の種類：三相３線式、１５０ｋｖＡ）を測定対象として行ったものである。
【００７６】
また、実験は、測定開始から１分経過時〜４分経過前（３分間）に疑似静電容量としてＲ相及びＴ相に０．２２μＦを接地し、測定開始から３分経過時〜４分経過前（１分間）に疑似絶縁抵抗としてＴ相に２０ｋΩを接地し、測定開始から４分経過後に疑似静電容量及び疑似絶縁抵抗を外して行った。したがって、測定開始から３分経過時〜４分経過前は、Ｒ相及びＴ相に疑似静電容量を接地し、かつ、Ｔ相に疑似絶縁抵抗を接地して行った。
【００７７】
例えば、疑似静電容量としてＲ相及びＴ相に０．２２μＦの容量を接地した場合には、容量性リアクタンスＸは、
Ｘ＝１／２πｆＣ＝１／（２π×５０×（０．２２×１０−６＋０．２２×１０−６））
≒７．２３×１０３
となる。
【００７８】
したがって、被測定電線路には、
Ｉ＝Ｖ／Ｘ＝２００／７．２３×１０３≒２７．６ｍＡ
の電流が加算されて流れる。
【００７９】
また、絶縁抵抗としてＴ相に２０ｋΩの抵抗を接地した場合には、理論的に、疑似絶縁抵抗成分の電流として、
Ｉｇｒ＝Ｖ／Ｒ＝２００／（２０×１０３）＝１０ｍＡ
の電流が被測定電線路に加算されて流れる。
【００８０】
漏洩電流遮断装置１は、図８に示すように、時間が測定開始から１分経過時に、疑似静電容量としてＲ相及びＴ相に０．２２μＦの静電容量が接地されているときに、７．８ｍＡの漏洩電流Ｉｇｒを検出し、また、１００．８ｍＡのＩ０を検出した。なお、Ｉ０は、上述したように絶縁抵抗に起因する漏洩電流Ｉｇｒと、静電容量に起因する漏洩電流Ｉｇｃの合成電流である。
【００８１】
疑似静電容量を接地していないときの漏洩電流Ｉｇｒは、図８に示したとおり、７．６ｍＡ（測定開始から１分経過前の漏洩電流Ｉｇｒ）であるので、Ｒ相及びＴ相に疑似静電容量を接地した場合、漏洩電流Ｉｇｒの変化は殆どない。
【００８２】
一方、疑似静電容量を接地していないときのＩ０は、７５．９ｍＡ（測定開始から１分経過前のＩ０）である。疑似静電容量接地後のＩ０（１００．８ｍＡ）から疑似静電容量接地前のＩ０（７５．９ｍＡ）を差し引くと、２４．９ｍＡとなり、これが、加算された漏洩電流Ｉｇｃである。この加算された漏洩電流Ｉｇｃは、理論値（２７．６ｍＡ）とほぼ等しい。
【００８３】
また、漏洩電流遮断装置１は、図８に示すように、Ｒ相及びＴ相に疑似静電容量が接地され、かつ、Ｔ相に疑似絶縁抵抗が接地されているとき（測定開始から３分経過時〜４分経過前）に、２１．０ｍＡの漏洩電流Ｉｇｒを検出し、また、１０７．０ｍＡのＩ０を検出した。
【００８４】
Ｔ相に絶縁抵抗を接地した後の漏洩電流Ｉｇｒ（２１ｍＡ）から、絶縁抵抗を接地する前の漏洩電流Ｉｇｒ（８ｍＡ（測定開始から３分経過時の漏洩電流Ｉｇｒ））を差し引くと、１３ｍＡとなり、理論値（１０ｍＡ）とほぼ等しくなる。
【００８５】
また、Ｒ相に疑似絶縁抵抗として１０ｋΩを接地したときの比較部１８と演算部１９の動作について図９〜図１１を用いて説明する。
【００８６】
比較部１８は、図９に示すように、ＬＰＦ１２から変換後電圧Ｖ１が入力され、ＬＰＦ１６から電圧Ｖ２が入力される。変換後電圧Ｖ１と電圧Ｖ２の位相差は、１２０°である。比較部１８は、図１０Ａに示すように、ＬＰＦ１２から入力された変換後電圧Ｖ１を方形波変換し、変換後の信号を演算部１９に出力する。また、比較部１８は、図１０Ｂに示すように、ＬＰＦ１６から入力された電圧Ｖ２を方形波変換し、変換後の信号を演算部１９に出力する。
【００８７】
演算部１９は、図１１に示すように、変換後電圧Ｖ２の方形波信号と、電圧Ｖ２の方形波信号に基づき、ＥＸＯＲ演算を実行する。演算部１９は、ＥＸＯＲ演算後の信号に基づき、１サイクルの１／４以下の位相パルス幅を求め、求めた位相パルス幅を位相角度算出部２２に出力する。
【００８８】
ステップＳＴ６において、ユーザは、測定が終了したら、漏洩電流遮断装置１の電源をＯＦＦにする。
【００８９】
このように構成される本願発明に係る漏洩電流遮断装置１は、被測定電線路Ａに流れている漏洩電流Ｉを検出し、検出した漏洩電流Ｉを電圧に変換し、変換後の電圧から高調波成分を除去し、高調波成分を除去した変換後電圧Ｖ１と、被測定電線路Ａの電圧線路から電圧Ｖ２を検出し、検出した電圧Ｖ２から高調波成分を除去し、高調波成分を除去した電圧Ｖ２とに基づき、被測定電線路Ａに流れている漏洩電流Ｉの位相角度θを正確に求め、その正確な位相角度θと、高調波成分が除去された変換後電圧Ｖ１の実効値Ｉ０とから対地絶縁抵抗に起因する漏洩電流Ｉｇｒのみを算出し、算出した漏洩電流Ｉｇｒを監視し、漏洩電流Ｉｇｒが任意の値を超えた場合に、被測定電線路Ａを遮断する。したがって、本願発明に係る漏洩電流遮断装置１は、被測定電線路Ａの長大化により、また、高調波歪み電流を出力するインバータ等により対地静電容量に起因した漏洩電流Ｉｇｃが増大しても、ｍＡ単位で確実に対地絶縁抵抗に起因する漏洩電流Ｉｇｒのみを検出することができるので、漏洩電流Ｉｇｒを監視し、漏洩電流Ｉｇｒが任意の値を超えた場合のみに被測定電線路Ａを遮断するように動作させることができる。ゆえに、本願発明に係る漏洩電流遮断装置１は、漏洩電流Ｉｇｒ以外の要素（漏洩電流Ｉｇｃの増大）によって漏洩電流が増大しても従来装置のように被測定電線路Ａを遮断することがない。
【００９０】
また、本願発明に係る漏洩電流遮断装置１は、電路・機械設備等を一時的に停電状態にすることなく漏洩電流Ｉｇｒの検出を行うことができ、また、漏電火災等の大惨事に至る前に漏電箇所の発見に役立てることができる。
【００９１】
また、本願発明に係る漏洩電流遮断装置１は、周波数注入式のように基準点を他から持ってくるのではなく、基準点を伝送線路に発生している電圧から求めるので、被測定電線路Ａに流れている漏洩電流Ｉｇｒを正確に測定することができる。
【００９２】
なお、本発明は、図面を参照して説明した上述の実施例に限定されるものではなく、添付の請求の範囲及びその主旨を逸脱することなく、様々な変更、置換又はその同等のものを行うことができることは当業者にとって明らかである。
【符号の説明】
【００９３】
Ａ  被測定電線路
１  漏洩電流検出装置
１０  カレントトランスセンサ（ＣＴセンサ）部
１１  増幅部
１２，１６  ローパスフィルター（ＬＰＦ）
１３，１７  全波整流部
１４  電圧検出部
１５  変圧器
１８  比較部
１９  演算部
２０  位相パルス幅測定部
２１  電源周波数測定部
２２  位相角度算出部
２３，２５  Ａ／Ｄ変換部
２４，２６  実効値算出部
２７  漏洩電流算出部
２８  抵抗値算出部
２９  判断部
３０  遮断部
３１  設定部
３２  記録部
３３  通信部
【図１】
2010197400.tif 000003
【図２】
2010197400.tif 000004
【図３】
2010197400.tif 000005
【図４】
2010197400.tif 000006
【図５】
2010197400.tif 000007
【図６】
2010197400.tif 000008
【図７】
2010197400.tif 000009
【図８】
2010197400.tif 000010
【図９】
2010197400.tif 000011
【図１０】
2010197400.tif 000012
【図１１】
2010197400.tif 000013